(57)【要約】      （修正有）【課題】長傘と折り畳み傘に共用可能な傘カバーを提供する。【解決手段】円筒に形成された本体部２と、本体部２の正面１１に設けられてなる上半部着脱部材として用いられる雄スナップ３ａ及び雄スナップ３ｂと、本体部２の正面１１に設けられてなる下半部着脱部材として用いられる雄スナップ４ａ及び雄スナップ４ｂと、本体部２の背面１５に設けられてなる中央部着脱部材として用いられる雌スナップ５、及び先端部着脱部材として用いられる雌スナップ６と、傘カバー１の先端部に配設されてなる脱落防止部材７と、によって構成され、さらに、傘カバー１の上端部には、一端を本体部２の背面１５に固着する下げ紐固着部である縫止８ｃ、前記一端側を回動可能とする下げ紐回動可能部８ｄ、他端部を本体部正面１１に着脱自在に係止する下げ紐係止スナップである雌スナップ８ａ及び下げ紐長さ調節具８ｂを有してなる下げ紐８が配設されている。【選択図】図３
0003220979.tif 000002
【実用新案登録請求の範囲】
【請求項１】
上端及び下端が開口されてなる筒状の本体部と、
前記本体部の正面側の上半部に配設されてなる上半部着脱部材と、
前記本体部の正面側の下半部に配設されてなる下半部着脱部材と、
前記本体部の背面側の中央部に配設されてなり、前記本体部を折り返して前記上半部着脱部材若しくは前記下半部着脱部材と連結可能な中央部着脱部材と、
前記本体部の背面側の先端部に配設されてなり、前記本体部を折り返して前記上半部着脱部材若しくは前記下半部着脱部材と連結可能な先端部着脱部材と、を有する
ことを特徴とする傘カバー。
【請求項２】
前記上半部着脱部材が２以上設けられ、上下方向に沿って互いに離間して配設されてなる
ことを特徴とする請求項１記載の傘カバー。
【請求項３】
前記下半部着脱部材が２以上設けられ、上下方向に沿って互いに離間して配設されてなる
ことを特徴とする請求項１又は請求項２に記載の傘カバー。
【請求項４】
前記本体部の先端部には、前記本体部の下端の開口を部分的に閉塞してなる脱落防止部材を備えてなる
ことを特徴とする請求項１〜３のいずれか１つに記載の傘カバー。
【請求項５】
前記本体部の上端に配設されてなる下げ紐を有し、
前記下げ紐の長さが変更可能である
ことを特徴とする請求項１〜４のいずれか１つに記載の傘カバー。
【請求項６】
前記本体部が２層の防水素材によりなる
ことを特徴とする請求項１〜５のいずれか１つに記載の傘カバー。
【請求項７】
前記本体部の上端の開口を閉塞可能な絞止具を備えてなる
ことを特徴とする請求項１〜６のいずれか１つに記載の傘カバー。
【請求項８】
前記本体部の上端部に帯状の収納用着脱部材を有し、
前記収納用着脱部材が、下端から上端に向けて畳み込まれた前記本体部の周面を巻回すると共に、前記上半部着脱部材若しくは前記中央部着脱部材と連結可能である
ことを特徴とする請求項１〜７のいずれか１つ記載の傘カバー。
【考案の詳細な説明】
【技術分野】
【０００１】
本考案は、傘を収納可能な傘カバーに関する。
【背景技術】
【０００２】
従来の傘カバーは折り畳み傘を収納するものが多く、長傘をそのまま収納可能な傘カバーは少なかった。一方で、長傘を収納可能なカバーと言えば、店頭に設置された使い捨てタイプのビニール傘袋が存在する。前記ビニール傘袋は雨天時に多くの店舗で床や使用者の洋服などを濡らさないために現在利用されている。
【０００３】
しかしながら、前記ビニール傘袋は耐久性に欠け、また、デザイン性にも欠けるため、長期的な使用には向かなかった。さらに、仮に店頭に使い捨て傘袋が置いていなかった場合には、傘から滴が落下し床や洋服などを濡らしてしまわざるを得なかった。
【０００４】
このような問題を解決するために、特許文献１では、特許文献１では、折り畳み傘用傘袋と長傘用傘袋を共用し得るように構成すべく、傘袋本体の中央部で折返し、傘袋の上端開口部に設けられた雄ホックと、下端開口部に設けられたゴム入りバンドの末端に配設された雌ホックとを嵌め合わせてホック留めできるように構成されている傘袋が開示されている。
【先行技術文献】
【特許文献】
【０００５】
【特許文献１】実公平４−１７０５０号公報
【考案の概要】
【考案が解決しようとする課題】
【０００６】
従来の使い捨てタイプのビニール袋では、前記の通り持ち運びや長期の使用などに向かなかった。さらに、使い捨て傘袋を頻繁に利用し続けると資源上の問題も生ずる。加えて、我が国は世界的に見ても降水日数の多い国であることから、このような問題は特に深刻である。
【０００７】
特許文献１に係る傘袋の構成では、先端部に設けられたスポンジが乾きにくく、使用後は長時間乾燥させなければ、再度利用することができず、また、乾燥が不充分であれば鞄等に収納し持ち運ぶと鞄等の内部が濡れてしまうという問題がある。
【０００８】
加えて、特許文献１に係る傘袋の構成では、折り畳み傘を収納する際に、傘袋本体の中央部で１回折返して傘袋本体の下端を傘袋本体の上端に係止しているにすぎず、折り返された部分と傘袋本体の上半部との間に大きな隙間を形成する。この隙間を形成する部分に他の物が引っ掛かるなどして、傘袋が破損する恐れがある。
【０００９】
本考案は、上記の問題に鑑みてなされたものであり、その目的は、上記の問題が生じない長傘と折り畳み傘に共用可能な傘カバーを提供することにある。
【課題を解決するための手段】
【００１０】
本考案に係る傘カバーは、上端及び下端が開口されてなる筒状の本体部と、前記本体部の正面側の上半部に配設されてなる上半部着脱部材と、前記本体部の正面側の下半部に配設されてなる下半部着脱部材と、前記本体部の背面側の中央部に配設されてなり、前記本体部を折り返して前記上半部着脱部材若しくは前記下半部着脱部材と連結可能な中央部着脱部材と、前記本体部の背面側の先端部に配設されてなり、前記本体部を折り返して前記上半部着脱部材若しくは前記下半部着脱部材と連結可能な先端部着脱部材と、を有する
ことを特徴とする。
【００１１】
前記上半部着脱部材、前記下半部着脱部材、前記中央部着脱部材及び前記先端部着脱部材には、自由に着脱が可能な着脱具であり、スナップボタンなどのホック、スタッドボタン、トグルボタン、若しくはくるみボタン、又は面ファスナーなどが採用可能である。
【００１２】
以下「長さ」という言葉は、特に断る場合を除き、前記傘袋本体の上下方向の長さをいうものとする。
【００１３】
本考案に係る傘カバーは、前記上半部着脱部材若しくは前記下半部着脱部材と、前記中央部着脱部材若しくは先端部着脱部材とがそれぞれ連結可能である。これにより、前記傘カバーは所望の異なる長さを実現することができる。
【００１４】
特に、前記傘カバーは、前記下端部着脱部材と前記先端部着脱部材とを連結させた場合には、長傘を収納するのに適した長さを実現することができる。
【００１５】
さらに、前記下端部着脱部材と前記先端部着脱部材とを連結させた場合には、前記先端部着脱部材が背面から正面の前記下端部着脱部材に向かって折り畳まれているため、濡れた傘を前記本体部に挿入しても、折れ目で雨水が止まり、袋から漏れ出すのを防止することができる。
【００１６】
特に、前記傘カバーは、前記上端部着脱部材と前記中央部着脱部材とを連結させた場合には、折り畳み傘を収納するのに適した長さを実現することができる。
【００１７】
傘カバーを下端から上端に向けて折り畳み、前記上半部着脱部材と前記中央部着脱部材とを連結させた場合には、傘カバー上半部と、複数回折り畳まれた傘カバー下半部の間に大きな隙間ができないという作用がある。
【００１８】
以下単に「着脱部材」という時は、前記上半部着脱部材と前記下半部着脱部材と前記中央部着脱部材と前記先端部着脱部材とのいずれかを選択することなく、包括的に称する場合がある。
【００１９】
またさらに、着脱部材をいずれかの組み合わせで連結させることにより、本体部に一点以上の折れ目が生じ、傘カバーからの傘の脱落を防止することができるという作用効果を奏する。
【００２０】
また、前記上半部着脱部材は、上下方向に沿って互いに離間して２以上配設されてなることが好ましい。
【００２１】
この場合には、前記中央部着脱部材をいずれの上半部着脱部材に連結させるかを選択することで、一つの傘カバーをもって異なる長さの折り畳み傘に適合するよう、傘カバーの長さを調節することができる。
【００２２】
さらに、前記下半部着脱部材は、上下方向に沿って互いに離間して２以上配設されてなることが好ましい。
【００２３】
この場合には、前記先端部着脱部材をいずれの下半部着脱部材に連結させるかを選択することで、一つの傘カバーをもって異なる長さの長傘に適合するよう、傘カバーの長さを調節することができる。
【００２４】
前記本体部には、前記本体部の下端の開口を部分的に閉塞してなる脱落防止部材を備えることがより好ましい。
【００２５】
前記脱落防止部材には、前記本体部の下端の開口を部分的に閉塞可能とする固着部材をいう。例えば、本体部分を貫通して表側内面と裏側内面とを突き合わせる挿通ピン、接着剤、縫い止め部などを採用することができる。
【００２６】
この場合には、仮に着脱部材が外れた場合であっても、傘の脱落を防止することができる。
【００２７】
また、前記本体部の上端には下げ紐の長さを変更可能な下げ紐を配設することが好ましい。
【００２８】
さらに、前記本体部２層の防水素材によりなることが好ましい。
【００２９】
前記２層の防水素材としては、ポリエチレンシートなどを採用することができる。
【００３０】
前記本体部の上端には、上端の開口を閉塞可能な絞止具を備えることが好ましい。
【００３１】
さらに、下端から上端に向けて畳み込まれた前記本体部の周面を巻回すると共に、前記上半部着脱部材若しくは前記中央部着脱部材と連結可能とする帯状の収納用着脱部材を前記本体部の上端部に設けることが好ましい。
【考案の効果】
【００３２】
本考案によれば、所望の異なる長さを実現可能であって、長傘及び折り畳み傘に共用可能であり、折り畳み傘収納時においても傘カバー上半部と折り畳み傘との間に大きな隙間が生じない傘カバーを提供することができる。
【図面の簡単な説明】
【００３３】
【図１】本考案に係る傘カバー１の正面図である。
【図２】本考案に係る傘カバー１の背面図である。
【図３】本考案に係る傘カバー１の右側面図である。
【図４】本考案に係る傘カバー１の左側面図である。
【図５】図1に示す傘カバー１のＡ−Ａ線以下の拡大図である。
【図６】図５に示すＢ−Ｂ線から見た断面図である。
【図７】長傘１７を収納した際の使用状態を示す参考図である。
【図８】折り畳み傘１８を収納した際の使用状態を示す参考図である。
【図９】本考案に係る傘カバー１を折り畳み、収納用着脱部材を用いて係止した状態の傘カバー１、並びに、前記係止した状態の傘カバー１を収納可能な収納袋１０１を示す参考図である。
【考案を実施するための形態】
【００３４】
以下、本考案の実施の形態について、図面を参照し詳細に説明する。
【００３５】
図１、図２、図３、及び図４は、本考案に係る傘カバー１の正面図、背面図、右側面図、及び左側面図である。傘カバー１は、円筒に形成された本体部２と、本体部２の正面１１に設けられてなる上半部着脱部材として用いられる雄スナップ３ａ及び雄スナップ３ｂと、本体部２の正面１１に設けられてなる下半部着脱部材として用いられる雄スナップ４ａ及び雄スナップ４ｂと、本体部２の背面１５に設けられてなる中央部着脱部材として用いられる雌スナップ５、及び先端部着脱部材として用いられる雌スナップ６と、雌スナップ８ａと係止可能な雄スナップ８ｅと、傘カバー１の先端部に配設されてなる脱落防止部材７と、によって構成されてなる。
【００３６】
さらに、傘カバー１の上端部には、一端を本体部２の背面１５に固着する下げ紐固着部である縫止８ｃ、前記一端側を回動可能とする下げ紐回動可能部８ｄ、他端部を本体部正面１１に着脱自在に係止する下げ紐係止スナップである雌スナップ８ａ及び下げ紐長さ調節具８ｂを有してなる下げ紐８が配設されている。
【００３７】
さらに、傘カバー１の上端部には、雌スナップ９ａを有してなる帯状の収納用着脱部材９と、上端部の折り返し縫目１４ｂに挿入されてなる絞止具１０と、絞止具１０の絞り具合を調整可能な絞止調設具１０ａが配設されている。
【００３８】
図６は、図５に示すＢ−Ｂ線から見た断面図である。脱落防止部材７は傘カバー１の本体部２の下端１２の開口部よりも少し上部において本体部２を正面から背面に掛けて貫通して本体部２の内面を部分的に付き合わせることにより閉塞させてなる。脱落防止部材７の背面部分は雌スナップ７ａに形成されてなる。これにより、下端１２開口部からの長傘１７の脱落を完全に防止することができる。
【００３９】
また、本実施形態に示す傘カバー１の本体部２は、外側防水素材層である高密度ポリエチレン不織布層１６ａ、及び内側防水素材層であるポリエチレンシート層１６ｂによる２層構造により形成されてなる。
【００４０】
また、傘カバー１の下端１２開口部付近には縫目１４ａが形成されてなる。これにより、下端１２開口部のほつれを防止することができる。
【００４１】
本実施形態に示す傘カバー１は、図７に示すように、本体部２を下端１２から上端１３へと正面側へ折り返しながら巻き上げ、かつ、雄スナップ４ｂと雌スナップ７ａを係止した場合は、長傘１７の収納に適している。
【００４２】
また、傘カバー１は、図７に示した状態からさらに本体部２を下端１２から上端１３へと正面側へ折り返しながら巻き上げ、かつ、雄スナップ４ａと雌スナップ６とを係止した場合は、雄スナップ４ｂと雌スナップ７ａとを係止した場合と比べて短尺の長傘を収納することに適している。
【００４３】
さらに、傘カバー１は、図８に示すように、本体部２を下端１２から上端１３へと正面側へ折り返しながら巻き上げ、かつ、雄スナップ３ｂと雌スナップ５とを係止した場合は、折り畳み傘１８の収納に適している。
【００４４】
また、傘カバー１は、図８に示した状態からさらに本体部２を下端１２から上端１３へと正面側へ折り返しながら巻き上げ、かつ、雄スナップ３ａと雌スナップ５とを係止した場合は、雄スナップ３ｂと雌スナップ５とを係止した場合と比べて短尺の折り畳み傘を収納することに適している。
【００４５】
また、傘カバー１は、下げ紐の長さ調節具８ｂを用いて下げ紐８の長さを長く調整したときは、肩掛け可能となる。さらに、雌スナップ８ａを雄スナップ８ｅから一度取り外し、下げ紐８を鞄の持ち手などに挿入した後、雌スナップ８ａと雄８ｅを係止すると、鞄などに掛けることが可能となる。
【００４６】
またさらに、傘カバー１は、本体部２を下端１２から上端１３へと背面側へ畳み込みながら巻き上げ、かつ、収納用着脱部材９を畳み込まれた本体部２の周面に巻回しつつ雌スナップ９ａと雄スナップ３ａを係止すると、極めて持ち運び易い大きさに纏めることができる。さらに、纏めた傘カバー１は、収納袋１０１に入れ、紐通し穴１１４に通された絞止具１１０を絞ることで、容易に持ち運ぶことができる。
【００４７】
また、傘カバー１は、絞止具１０を用いて上端１３開口部を絞ると長傘１７若しくは折り畳み傘１８に上端１３開口部が密着し、傘を固定することができる。
【００４８】
傘カバー１の使用者は、傘カバー１を使用した後、着脱部材の全ての係合を開放することで、本体部２の折り返し部分に溜まった雨水を下端１２の開口部から排出させることができる。
【符号の説明】
【００４９】
１     傘カバー
２     本体部
３ａ,３ｂ 雄スナップ
４ａ,４ｂ 雄スナップ
５     雌スナップ
６     雌スナップ
７     脱落防止部材
７ａ   雌スナップ
８     下げ紐
８ａ   雌スナップ
８ｅ   雄スナップ
９     収納用着脱部材
９ａ   雌スナップ
【図１】
0003220979.tif 000003
【図２】
0003220979.tif 000004
【図３】
0003220979.tif 000005
【図４】
0003220979.tif 000006
【図５】
0003220979.tif 000007
【図６】
0003220979.tif 000008
【図７】
0003220979.tif 000009
【図８】
0003220979.tif 000010
【図９】
0003220979.tif 000011